(57)【特許請求の範囲】
【請求項１】
車両用コンソールボックスに係止されるアッパレールと、
車両フロアに係止され、該アッパレールを前記車両フロアに対して移動可能に支持するロアレールと、
前記アッパレールの前記車両フロアに対する係止又は移動を可能にするロック機構とを備えるスライド装置において、
前記アッパレールに設けられ下方に延びる縦壁の先端が折り返されて上方に延びる係止壁部を、前記ロアレールに設けられた被係止壁部を構成する上方に延びる第１縦壁部と該第１縦壁部の先端が折り返されて下方に延びる第２縦壁部との間に配置し、
２個の球体を前記係止壁部及び前記第１縦壁部にそれぞれ一箇所ずつ当接するよう上下に離間し、かつ１個の球体を前記２個の球体の間に前記係止壁部及び前記第２縦壁部にそれぞれ一箇所ずつ当接するよう、それら全ての球体を上下方向で重なり合う位置に転動可能に配設し、
前記１個の球体を前記係止壁部及び前記第２縦壁部に対して水平方向で当接させるとともに、前記２個の球体を前記係止壁部及び前記第１縦壁部に対して前記１個の球体に向かう斜め方向で当接させたことを特徴とするスライド装置。
【発明の詳細な説明】
【０００１】
【発明の属する技術分野】
本発明は、スライド式コンソールボックスを移動及び固定可能にするスライド機構に関する。
【０００２】
【従来の技術】
従来、スライド式コンソールボックスを移動及び固定可能にするスライド機構としては、特開平9−１１７９９号に示されるものが知られている。
【０００３】
このスライド機構は、車両に前後方向に延設され、横方向に一定の幅を有する水平面を有するロアレールと、ロアレールの水平面と当接してロアレールに対してスライド自在に支持されアッパレールと、ロアレールとアッパレールを固定することができるロック機構を備えている。そして、アッパレールによってコンソールボックスを支持し、前後方向にその位置を調整可能にしている。
【０００４】
【発明が解決しようとする課題】
しかしながら、上記のように水平の面でコンソールボックスを車両の前後方向に移動可能に支持するスライド機構の構成では、コンソールボックスの下側に配置される後部席に冷暖房の送風をするダクトのためのスペースが大きく限定される。
【０００５】
本発明の課題は、十分なダクトのスペースを確保できるスライド機構を実現することである。
【０００６】
【課題を解決するための手段】
上記技術的課題を解決するために本発明において講じた技術的手段は、車両用コンソールボックスに係止されるアッパレールと、車両フロアに係止され、該アッパレールを前記車両フロアに対して移動可能に支持するロアレールと、前記アッパレールの前記車両フロアに対する係止又は移動を可能にするロック機構とを備えるスライド装置において、前記アッパレールに設けられ下方に延びる縦壁の先端が折り返されて上方に延びる係止壁部を、前記ロアレールに設けられた被係止壁部を構成する上方に延びる第１縦壁部と該第１縦壁部の先端が折り返されて下方に延びる第２縦壁部との間に配置し、２個の球体を前記係止壁部及び前記第１縦壁部にそれぞれ一箇所ずつ当接するよう上下に離間し、かつ１個の球体を前記２個の球体の間に前記係止壁部及び前記第２縦壁部にそれぞれ一箇所ずつ当接するよう、それら全ての球体を上下方向で重なり合う位置に転動可能に配設し、前記１個の球体を前記係止壁部及び前記第２縦壁部に対して水平方向で当接させるとともに、前記２個の球体を前記係止壁部及び前記第１縦壁部に対して前記１個の球体に向かう斜め方向で当接させたことである。
【０００７】
アッパレールとロアレールの各縦壁間に挟まれた球体が転動して、アッパレールはロアレールに対して滑らかに移動し、コンソールボックスの位置が調整される。また、ロック機構によってコンソールボックスは調整された位置に保持される。
【０００８】
【発明の実施の形態】
以下に、本発明に係る車両用スライド式コンソールボックス1のスライド装置について、図１乃至５を用いてその構成を説明する。
【０００９】
先ず図５に示されるように、車両用のスライド式コンソールボックス１は運転席１００の側面に配置される。例えば後部席２００の乗員からもコップを置く台として利用できるように、また運転席１００から助手席（図示せず）へ人が容易に移動できるようにするため、図５の中で実線で示される位置から二点鎖線で示される位置まで移動できようにしている。そして、任意の位置に固定できるようになっている。スライド式コンソールボックス１のコンソールボックス本体１０の下部分には、後部席へ冷暖房の空気を送るダクト３００が配置され、効果的な冷暖房を可能にする構成となっている。
【００１０】
次に図1に示されるように、コンソールボックス本体１０の下方には、コンソールボックス本体１０を車両のフロア２上に移動可能に支持し、そして移動した位置にコンソールボックス本体１０を固定するロック機構５を備えた右側スライド装置３と、ロック機構５を備えていない左側スライド装置４が対になって取付けられている。
【００１１】
図１に示されるように、ロック機構5を有する右側スライド装置３と、ロック機構5を有しない左側スライド装置４とは、ロック機構5に係る部分を除いた以外は対称形の構成となっている。従って、以下では右側スライド装置３の構成に基づいて説明する。
【００１２】
図２乃至４に示されるように、右側スライド装置３は、ロアレール３０とアッパレール４０とを備えている。
【００１３】
ロアレール３０は車両の前後方向に延び、断面の形状が下側に開口しU 字を逆にした形状となっている。この逆U 字形状の1 辺となっている外側縦壁部３１（第１縦壁部）は、前後の端部で、一般の部分より下方に延びて形成された前垂下部３１ａと後垂下部３１ｂを有している。前後の各垂下部３１ａ、３１ｂには、それぞれ前取付けブラケット６１と後取付けブラケット６４がピン６３によって固定されている。前取付けブラケット６１には穴６２が、また後取付けブラケット６４には穴６５が設けられボルト等の締結手段（図示せず）によって、ロアレール３０は車両フロア２に固定される。
【００１４】
アッパレール４０は車両の前後方向に延び、断面の形状が上側に開口するU字形状となっている。U字形状の2辺の内、その1辺の内側縦壁４１は、部分的に上方に延びて形成され、内側縦壁４１には複数の穴４１ａが設けられボルト等の締結手段（図示せず）によってコンソールボックス本体１０に固定される。
【００１５】
図３に最も良く示されるように、ロアレール３０に対してアッパレール４０は、前後方向への移動は許容されるが、上下および横方向の移動は拘束されるようにそれぞれの逆U 字とU 字形状の部分が係合する構成となっている。即ち、ロアレール３０の逆U 字形状で2 辺の外側縦壁部３１および内側縦壁部３２（第２縦壁部）間に、アッパレール４０のU 字断面形状の一辺である外側縦壁４４が挿入されている。外側縦壁４４はその上端部と、上端より下方には２箇所の傾斜部４７、４５を有するように屈曲した形状に成形されている。アッパレール４０の外側縦壁４４の屈曲部分には、外側縦壁４４の一方の面側に２個、他方の面側に１個の球体８が当接して配置され、さらに各球体８は同時にロアレール３０のU 字形状内面とも当接している。この構成によって、アッパレール４０がロアレール３０に対して移動するとき、球体８が回転し、相互の移動を滑らかにガイドする構成となっている。これら３個の球体８は互いに上下方向で重なり合う位置に配設され、ロアレール３０の幅の狭いU 字形状内に配置されている。
【００１６】
ロアレール３０の内側縦壁部３１には傾斜部３３が形成され、３個のうちの最も下側に配置されている球体８をアッパレール４０の傾斜部４５と傾斜部３３によって挟むように構成し、かつ傾斜部３３によってロアレール３０のU字形状の開口部が狭くするようにしている。更に、最も上側の球体８はロアレール３０の逆U字形状となっている断面の上隅部とアッパレール４０の傾斜部４７で挟むように、また中間の球体８はロアレール３０の内側縦壁３２とアッパレール４０の２箇所の傾斜部４７、４５の中間部縦壁４６によって挟むように構成している。このように各球体８をアッパレール４０とロアレール３０の間に常に挟持力を持って挟むように構成している。各球体８の転がりによって、アッパレール４０のロアレール３０に対する円滑な移動が可能となる。その上、図３に示す上下、及び左右に方向に、アッパレール４０をロアレール３０に対して拘束し、前後方向に対しては移動許容する構成になっている。しかも各球体８への挟持力によって、上下、及び左右の方向に、アッパレール４０とロアレール３０は隙間が無く、いわゆるガタが無く係合しているために、車両の振動による異音の発生が無い。球体８は３個で１組となって、レール３０、４０の前側と後側に一組づつ配置される。またアッパレール４０の外側縦壁４４に切り起こし部４９が、それぞれの組の球体８を所定の間隔をおいて前後に挟むように形成されていて、球体８を係合部に保持するとともに、スライド装置３の前後の移動量を規定するストッパの機能を果たす。
【００１７】
図１と２に示されるように、アッパレール４０の前後方向の略中央部には、アッパレール４０のロアレール３０に対する前後移動を拘束、または許容するロック機構５が取付けられている。
【００１８】
ロック機構５は、アッパレール４０の内側縦壁４１の外側面に固定され水平方向の軸を有するピン５1と、ピン５1を枢軸として回転するロックレバー５2とを有している。ロックレバー５2はピン５1に止め輪５９で保持されている。ロックレバー５2はピン５1の位置から後方に延びる部分を有し、その後端部に水平方向に折り曲げられた係りフランジ部５３が形成され、係りフランジ部５３には矩形の係止穴５４が設けられている。一方、図4に良く示されるように、アッパレール４０の前後方向で、係りフランジ部５３に対向する部分には、U字形状の水平部４２を部分的に切欠くように係止窓部４８が形成されている。この係止窓部４８より、ロアレール３０の内側縦壁部３２の下端が接触できる構成となっている。内側縦壁部３２の下端には、図２に示されるように、複数のロック歯部３６が等間隔で前後方向に配置されて形成されている。そして、ロックレバー５2の係止穴５４はロック歯部３６と係合可能な構成となっている。係止穴５４とロック歯部３６との係合によって、アッパレール４０はロアレール３０に対して固定され、係合の解除で移動自在となる構成である。そしてロックレバー５2は、その後端に形成されたフック部５８とアッパレール４０に形成されたフック４３との間にスプリング７６が取付けられ、スプリング７６は係止穴５４とロック歯部３６を係合するように作用する。
【００１９】
図１に示されるように、ロックレバー５2は、更にピン５1の位置から前方に延びる部分を有し、その前端にはフック部５５が形成されている。フック部５５には係止端７３を有する操作ケーブル７のワイヤ７２が接続されている。操作ケーブル7の一端はアッパレール４０に固定された取付けブラケット７５に取付けナット７４によって取付けられ、更に他端はコンソールボックス本体１０に取付けられる。操作ケーブル７のワイヤ７２の他端は、コンソールボックス本体１０にガイドされ移動可能に取付けられた操作ノブ７１と連結されている。この構成によって、操作ノブ７１をスプリング７６の作用力に抗して引き、係止穴５４とロック歯部３６の係合を解除することによって、アッパレール４０をロアレール３０に対して自由に前後方向に移動させることができる構成になっている。操作ノブ７１を放すことによって、再度係止穴５４とロック歯部３６は係合して、移動した位置にアッパレール４０を固定することができる。
【００２０】
このように構成されたスライドスライド式コンソールボックス1では、上記したように操作ノブ７１を引くことによって、右側スライド装置３のロック機構５を解除することによって、コンソールボックス本体１０は右側スライド装置３と、ロック機構５を備えていない左側スライド装置４とにガイドされて、車両のフロア2に対して、その前後方向の位置が調整される。そして操作ノブ７１を放すことによってコンソールボックス本体１０を調整位置に固定することができる。
【００２１】
このときコンソールボックス本体１０の下方に配置されている空調のダクトはコンソールボックス本体１０の位置とともに伸縮自在となって、後部席への冷暖房の送風が確保される。
【００２２】
【発明の効果】
コンソールボックス本体を移動可能に支持するスライド装置において、アッパレールとロアレールの各縦壁間に複数の球体を互いに縦方向で重なり合う位置に配置することによって幅が狭く、コンソールボックス本体の下側に後部席に送風する冷暖房のためのダクトを配置するスペースを確保できるようになる。
【００２３】
また、アッパレールとロアレールの各縦壁間に配置された複数の球体には常に挟持力が作用するようにしているために前後には滑らかに移動し、横と上下方向にはガタが無く異音の発生が抑えられる。
【図面の簡単な説明】
【図１】本発明に係るスライド式コンソールボックスの斜視図である。
【図２】本発明に係るスライド式コンソールボックスの右側スライド装置の分解斜視図である。
【図３】図２のＩＩＩ−ＩＩＩ部分での断面図を示す。
【図４】図２のＩＶ−ＩＶ部分での断面図を示す。
【図５】本発明に係るスライド式コンソールボックスが車両に取付けられる状態を示す側面図である。
【符号の説明】
２  フロア
３  スライド装置（右側スライド装置）
５  ロック機構
８  球体
１０  コンソールボックス（コンソールボックス本体）
３０  ロアレール
３１、３２  被係止壁部（外側縦壁部、内側縦壁部）
４０  アッパレール
４４  係止壁部（外側縦壁部）
【図１】
0004631220.tif 000002
【図２】
0004631220.tif 000003
【図３】
0004631220.tif 000004
【図４】
0004631220.tif 000005
【図５】
0004631220.tif 000006